(57)【要約】 【課題】 着脱が容易で、身体にフィットし、消耗材を少なくし、尿液などの漏れを防ぐ材料節減型着装物を提供する。  【解決手段】  プルパッド型、又はハーフパッド型の吸収部材を置き換え、及び前後に移動させるために供する重複して使用可能な汎用タイプの着装部材と、吸収部材とを具えてなり、着装部材は後ろ腰部に開口と後ろ挟持部を形成し、前部に前部開口と前挟持部を形成し、前部の左右両側に、それぞれ側面挟持部を形成し、側辺に近接した位置に滑り止めゲルを設け、吸収部材の後端上方を後部開口に入れて、かつそれぞれ（片側ずつ分けて）前挟持部に挟まれる左右後ろピックアップ部を具え、前端上方に前部開口から引き出されて前挟部に挟まれる前ピックアップ部を具え、左右後ろピックアップ部と前ピックアップ部のいずれもが前後にずれて吸収する位置を調整する。【選択図】 図１―４
2018187046.tif 000002
【特許請求の範囲】
【請求項１】
重複して使用できる着装部材と吸収部材とを具え、
該着装部材は二重層の本体を具え、
後腰部の左右端にそれぞれ伸縮部を具え、
該伸縮部の外側の両端にそれぞれ設ける緊締ベルトを具え、
該緊締ベルトは、該本体の前部の対応する位置に形成した孔部を通過し、かつ折り返されて緊締し、
該本体の後部が該本体に向かって幅が二倍になるまで漸増し、
左右の該伸縮部の間の内層の下方に該吸収部材の左右後ろピックアップ部を入れ、かつ上方向に通過させる後部開口を形成し、
該後部開口上方には該内層に横方向に配列して２つのオスメスホックのオスホックを設け、
外層に対応して横方向に配列して２つのオスメスホックのオスホックを設け、
該２つのメスホックの間と左右側に面ファスナーオス部を設け、
外層の対応する面ファスナーメス部を設けて後挟持部とし、かつ該左右後ろピックアップ部をそれぞれ挟持し、
該後挟持部は柔軟な繊維面で覆い、
該左右後ろピックアップ部の貼り付けに供する貼り付け部を形成し、
前部の恥骨とへそに接触する部分の中間の位置には前部開口と、及び該前部開口を遮蔽するホックカバーの内層に横方向に設けた複数のオスメスホックのメスホックに対応してオスメスホックのオスホックを設けた前挟持部を形成し、
該吸収部材の前ピックアップ部が該前部開口から引き出された後、該前挟持部に挟持され、後部の左右下側と下部の左右両側にはゴムひもを設けてギャザー部を形成し、
該前部の左右下側には内層と外層の対向する面にオスメスホックをそれぞれ設けて、
開いてホック留めして該吸収部材の前ピックアップ部の側翼を挟持する側辺挟持部を具え、
前部内層の左右下側の端縁部に近接した位置に導尿管滑り止めゲルを塗布し、
該吸収部材は、不織布表層と、防水底層とを具え、中間に吸水コア層を挟んでなり、
該吸水コア層後端上方の結合シートによってウエストの四分の一の幅の平面を形成し、かつ縦に二等分して左右後ろピックアップ部とし、
前端上方の結合シートによって一平面の前ピックアップ部を形成し、
臀部後ろ領域と、股下領域の左右両側の縁の外方向に延伸する結合シートはゴムひもを設けてギャザー部を形成する
ことを特徴とする材料節減型着装物。
【請求項２】
前記左右後ろピックアップ部の前面の上端縁部に近接した中間部が、それぞれ面ファスナーシートを具え、後部開口から入れて、上方向に向かって通過して、前に折り返して貼り付け部か、臀部後ろ領域に貼り合わさり、固定される
ことを特徴とする請求項１に記載の材料節減型着装物。
【請求項３】
前記左右後ろピックアップ部が、後部開口から上方向に向かって入り、または後ろに折り返して下方向に該後挟持部内に入って固定される
ことを特徴とする請求項１に記載の材料節減型着装物。
【請求項４】
前記吸水コア層が臀部後ろ領域と、股下領域と、前腹領域の範囲を含むフルパッド型の吸収部材であって、該前ピックアップ部がウエストの八分の一の幅 で、左右後ろピックアップ部が前後にずれるにともない 挟持されるに十分な長さを具え、該前部開口から引き出され下に折り畳まれて該前挟持部に固定される
ことを特徴とする請求項１に記載の材料節減型着装物。
【請求項５】
前記股下領域の左右両側に縁には、それぞれ１ｃｍ幅で縦方向の前後に延伸する高密度密の吸水コア層の高密コアストッパーを設け、該高密コアストッパーの左右の縁には熱圧線が形成される
ことを特徴とする請求項４に記載の材料節減型着装物。
【請求項６】
前記吸水コア層が、臀部後ろ領域と股下領域の範囲を含むハーフパッド型の吸収部材であって、該股下部の左右両側は前端縁部の縁から２ｃｍ離れた横熱圧線で固定して基準とし、後ろに折り畳んで折り畳みストッパーを形成し、左右両側の縁はさらに縦熱圧線で固定し、股下領域の上方が該前ピックアップ部である
ことを特徴とする請求項１に記載の材料節減型着装物。
【請求項７】
前記股下領域の左右両側に縁には、それぞれ１ｃｍ幅で縦方向の前後に延伸する高密度密の吸水コア層の高密コアストッパーを設け、該高密コアストッパーの左右の縁には熱圧線が形成される
ことを特徴とする請求項６に記載の材料節減型着装物。
【請求項８】
前記前ピックアップ部には、中間に男性生殖器を露出させるＵ字状の切り欠き部面を形成し、両端部が、左右後ろピックアップ部が前後にずれるにともない挟持されるに十分な長さを具え、前部開口から引き出され下に折り畳まれて該前挟持部に固定される
ことを特徴とする請求項６に記載の材料節減型着装物。
【請求項９】
前記前ピックアップ部には、中間に男性生殖器を露出させるＵ字状の切り欠き部面を形成し、両端部がそれぞれ該前部の背面粘着部貼着し、該臀部後ろ領域に該後部に貼着する左右背面粘着部を設ける
ことを特徴とする請求項６に記載の材料節減型着装物。
【請求項１０】
前記前部の一滑り止めゲルを塗布する部分の内側に対応する位置に男性、又は女性用の導尿管が跨いで出るための開放スリットを縦方向に形成し、該前ピックアップ部には該前部に貼着して該開放スリットの左右側辺を固定する複数の背面粘着部を形成する
ことを特徴とする請求項６に記載の材料節減型着装物。
【請求項１１】
前記前ピックアップ部が両側に延伸して左右側翼の平面を形成し、それぞれ該側辺挟持部に入れて固定する
ことを特徴とする請求項６に記載の材料節減型着装物。
【請求項１２】
前記吸水コア層が臀部後ろ領域と股下領域の範囲を含むハーフパッド型の吸収部材であって、該前ピックアップ部に該前部に貼着する複数の背面粘着部を形成し、該臀部後ろ領域には該後部にそれぞれ貼着する左右背面粘着部を形成する
ことを特徴とする請求項１に記載の材料節減型着装物。
【請求項１３】
不織布表層と、防水底層とを具え、中間に吸水コア層を挟んでなる吸収部材であって、該吸水コア層臀部後ろ領域と股下領域の範囲を含むハーフパッド型の吸収部材であって、該吸水コア層後端上方の結合シートによって平面の前ピックアップ部を形成し、臀部後ろ領域の左右下側と、股下領域の左右両側の外縁の結合シートにゴムひもを設けてギャザー部を形成し、該前ピックアップ部に該前部に貼着する複数の背面粘着部を形成し、臀部後ろ領域には、側辺挟持部を具える着装部材の後部に貼着する左右背面粘着部を形成する
ことを特徴とする吸収部材。
【請求項１４】
前記股下部の左右側辺の間を前端縁部から２ｃｍ離れた横熱圧線で固定して長さの基準とし、後ろに折り畳んで折り畳みストッパーを形成し、左右側辺をさらに縦熱圧線で固定し、該前ピックアップ部の一滑り止めゲルを塗布する部分の内側に近い位置に男性、又は女性用の導尿管が跨いで出るための開放スリットを縦方向に形成し、該前ピックアップ部には該前部に貼着して該開放スリットの左右側辺を固定する複数の背面粘着部を形成する
ことを特徴とする請求項１３に記載の吸収部材。
【請求項１５】
前記前ピックアップ部が両側に延伸して左右側翼の平面を形成し、左右側翼がいずれも背面粘着部を具え、それぞれ該側辺挟持部に入れて固定する
ことを特徴とする請求項１３に記載の吸収部材。
【発明の詳細な説明】
【技術分野】
【０００１】
この発明は、消耗材を減少させて環境保全と経済性を増進させることを主要な目的とする吸水部材（例えば紙おむつ）及びその緊締部材に関する。
【背景技術】
【０００２】
日夜異なる活動、又は異なる依頼形態の病人にとって、紙おむつの適用形式と交換方法には差がある。下半身、又は全身不随患者の内約半数以上を占める患者は、紙おむつを交換する場合、身体の左、右側を起こして、片側から交換の操作を行う。これら身体不随、又は導尿管を付けている患者にとって、紙おむつの前腹領域の液体吸収芯層は余分である。周辺の消耗材も必須ではない。但し、縮小するよう変更しようとすれば、穿くことができなくなるか、身体にフィットしなくなるという難点が起きる。よって、従来のものには、消耗材が多く、コストが高く、蒸し暑くなり、身体に十分フィットしないため尿液が漏れるなどの欠点が依然として存在する。また、導尿管を付けた後、容易にスライドして位置がずれ、絡んで外れ落ちるという問題が存在する。
【発明の概要】
【発明が解決しようとする課題】
【０００３】
この発明は、  着脱が容易で、身体にフィットし、消耗材を少なくし、尿液などの漏れを防ぐ材料節減型着装物を提供することを課題とする。
【課題を解決するための手段】
【０００４】
上述する課題を解決するために、この発明に採用する技術プランは、重複して使用できる汎用タイプの着装部材と、及び吸収部材を提供するものであって、以下は使用者のウエストが約８０ｃｍの場合を例として、着装した後の立った姿の方向、位置、サイズを説明する。
【０００５】
着装部材の後ろ腰部の左右端には伸縮部を設け（偶に患者自身でトイレへ行き着脱するのに便利である）、外部に緊締ベルトを設ける。これら伸縮部の間の下方に後部開口を形成し（引っ張って開き左右後ろピックアップ部を入れる）、後部開口の上方には内層と外層が開閉する後挟持部（左右後ろピックアップ部を挟む）を形成する。該後挟持部の前面には柔らかい繊維面の貼着部（腰の部分の快適さを増し、かつ面ファスナーへの貼着に供する）を形成する。前部には前部開口（前ピックアップ部を引き出して外で操作するのに便利）と、及び前挟持部（前部開口を蔽い、前ピックアップ部を挟む）を形成する。前部左右下側には内層と外層が開閉する側面挟持部（前ピックアップ部の側面翼部を挟む）と導尿管滑り止めゲルを設ける（柔軟性を具え、擦って洗っても外れ落ちない）。
【０００６】
汎用型であるため、前後開口部、オスメスホックは、通過させ、ホックで留めるか、又は放置する。面ファスナーシートは貼着滑り止めに供する。または腰部が力を受ける面を平坦にする。滑り止めゲルは前腹領域、又は前ピックアップ部のずれを防ぎ、該着装部材はその他背面粘着式の吸収部材に供して身体に緊締してフィットさせる。
【０００７】
該吸収部材は、次のように分ける。
１、    フルパッド型（実施例１、２）。吸水コア層が後ろ臀部領域と股下領域と前腹領域とを含み、活動可能な使用者への着装に適する。
２、    ハーフパッド型)実施例３から７）。後ろ臀部領域と股下領域とを含み前腹領域は省力する。身体不随患者への着装に適し、導尿管を使用している者は夜間就寝時に取り換える。左右後ろピックアップ部、前ピックアップ部は上の腹方向にずれた後固定され、吸収部を目に移動させる。座ったり、活動したりする場合に着装する。材料を節減し排泄物の漏れを防ぐ。
【０００８】
フルパッド型の特徴は次のとおりである。実施例１において、左右後ろピックアップ部は後部開口を通過して前に折り返し、それぞれ貼着部か後ろ臀部領域に貼着する。よく動く患者の場合はさらにオスメスホックで留める。実施例２において、左右後ろピックアップ部は後部開口から入れるか、又はその後下方向に折り重ねて後挟持部に入れて固定する。該前ピックアップ部は前部開口から引き出した後、前挟持部で挟んでピックアップする。股下領域の左右両側の側辺にはそれぞれ前後に延伸する高密度吸水コア層の高密度コアストッパー（外観上は厚さが増すことはない、排尿時に緩衝、拡散の流れの遅延、吸収力の上昇が得られる）を具える。
【０００９】
ハーフパッド型の特徴は次のとおりである。前腹吸水濃さ層を省き、股下領域の前端を後ろ方向に折り畳んで折り畳みストッパーを形成する（休止コア層が水分を吸収して膨張して隆起した場合折り畳みストッパーが支持して防水壁のようになる）。即ち、股下領域の左右、前後に高密度コアストッパーと折り畳みストッパーを設ける手法で排泄物が外に漏れるのを防ぐ。実施例３から実施例５において、前ピックアップ部にはＵ字状の切り欠き部を具え、両端部は前部開口から引き出して前挟持部で挟む。該Ｕ字状切り欠き部は男性の生殖器が、通気性があり柔らかく快適な布（着装部材）に戻るためのものであって、導尿管が跨いで出て滑り止めゲルに接触するために便利である。
【００１０】
ハーフパッド型のその他材料節減の実施形態は次のとおりである。
１、実施例６は背面粘着式である。前ピックアップ部には、男女用導尿管が跨いで出るための開放スリット（冬季の使用に適する）を形成する。実施例６は背面粘着式の強化型であって、前ピックアップ部に切り欠き、又はスリットがなく、折り畳みストッパーを設けない（冬季によく動く人の使用に適する）。
２、実施例７は前ピックアップ部が左右側翼部（男性用導尿管は上方から跨いで出て滑り止めゲルに接触する。女性用導尿管が寝返りしたときに前後に移動することを防ぐ）を具える。実施例７は波面粘着式を兼ね備え、前ピックアップ部が左右側翼部（導尿管を使用し、よく動く者の使用に供する）を具える。
【図面の簡単な説明】
【００１１】
【図１−１】この発明の実施例１のフルパッド型の吸収部材と着装部材を展開した状態を示した説明図である。
【図１−２】吸収部材の後挟持部と逆の角度から見た局部断面を示した説明図である。
【図１−３】吸収部材の高密度コアストッパーの図１−２に開示するＸ１―Ｘ１線に沿った断面図である。
【図１−４】左右後ろピックアップ部の片側毎の操作を示した説明図である。
【図１−５】正面から見た吸収部材の使用態様を示した説明図である。
【図１−６】側面と背面からから見た吸収部材の使用態様を示した説明図である。
【図２】実施例２のフルパッド型の吸収部材と着装部材を展開した状態を示した説明図である。
【図３−１】実施例３のハーフパッド型の吸収部材の構造と使用上の動作を示した説明図である。
【図３−２】実施例３の吸収部の折り畳みストッパーの図３−１に開示するＹ１―Ｙ１線に沿った局部断面図である
【図３−３】正面から見た実施例２の吸収部材の使用態様を示した説明図である。
【図４】実施例４のハーフパッド型の吸収部材と着装部材を展開した状態を示した説明図である。
【図５−１】実施例５のハーフパッド型の吸収部材と着装部材を展開した状態を示した説明図である。
【図５−２】正面から見た実施例５の吸収部材の使用態様を示した説明図である。
【図６】実施例６のハーフパッド型の吸収部材と着装部材を展開した状態を示した説明図である。
【図７】実施例７のハーフパッド型の吸収部材と着装部材を展開した状態を示した説明図である。
【発明を実施するための形態】
【００１２】
以下、添付図面を参照して本発明の実施の形態を詳細に説明する。
【実施例１】
【００１３】
図1−１から図１−６に開示するように、着装部材Ａと、フルサイズパッド型の吸収部材１とを具え、着装部材Ａは二重層で後部Ａ１と下部Ａ２と前部Ａ３とによってなる本体Ａ０と、後腰部の左右端にそれぞれゴムひもを内設した伸縮部Ａ７と、その外側の両端にそれぞれ設ける緊締ベルトＡ８とを具え、緊締ベルトＡ８は、オス面ファスナー部Ａ８３１を設けた前段部Ａ８１とメス面ファスナー部Ａ３２を設けた後段部Ａ８２とを具えてなり、着装する場合に前段部Ａ８３１が本体Ａ０の前部の対応する位置に形成した孔部Ａ９を通過し、かつ折り返されてメス面ファスナー部Ａ３２に貼り付いて緊締される（図１−５参照）。上述する部分を有する本体Ａ０の後部は上に向かって二倍になる まで幅が漸増して緊締面と受ける力を分散する面が拡大する。孔部９０の外側には、それぞれパッドＡ９０を具える。左右の伸縮部Ａ７の間の内層Ａ４１の下方に後部開口Ａ５を形成する。後部開口Ａ５上方には内層Ａ４１と外層Ａ４２とを広げて張り合わせ後挟持部Ａ６を形成する。後挟持部Ａ６は、前面を柔軟な繊維面で覆い、面ファスナーの貼り付けに供する貼り付け部Ａ６３を形成する。前部Ａ３の恥骨とへそに接触する部分の中間の位置には前部開口Ａ１１と前挟持部Ａ１２を形成する。後部Ａ１の左右下側と下部Ａ２の左右両側には、それぞれゴムひもを設けて収縮するギャザー部１１１を形成する。前部Ａ３の左右下側には、内層と外層とが向かい合う面にオス、メス対になったホックＡ３１１を少なくとも１以上設けて自在に開放し、かつホックＡ３１１で留めて閉じることのできる側辺挟持部Ａ３１を形成する（図７参照）。内層前面の左右下側の端縁部に近接した位置に導尿管滑り止めゲルＡ１０を塗布する。
【００１４】
後挟持部Ａ６の内層の２つのオス、メスホックのメスホックＡ６１１を横方向に配列して設け、外層の対応する位置に２つのオスホックＡ６１２を横方向に配列して設ける。また内層の該２つのメスホックの間と左右側に、合わせて３つの面ファスナーオス部Ａ６２１を設け、外層の対応する位置に３つの面ファスナーメス部Ａ６２２を設ける。
【００１５】
前挟持部Ａ１２は、前部開口Ａ１１のホックカバーＡ１２０と、ホックカバーＡ１２０の内層に横方向に配列する複数のオスメスホックのメスホックＡ１２１と、前部Ａ３のメスホックＡ１２１に対応する位置に設けるオスホックＡ１２２とを具える。
【００１６】
吸収部材１は、不織布表層と、防水底層とを具え、中間に吸水コア層１０を挟んでなり、臀部後ろ領域１１と、股下領域１２と、前腹領域１３に分布する吸水コア層１０と、左右後ろピックアップ部１４と、前ピックアップ部１６とを含む。左右後ろピックアップ部１４は吸水コア層後端１０ａ上方の結合シート１０１によってウエストの四分の一の幅で、かつ縦に二等分した幅の平面を形成し、前面の上端縁部に近接した一の中間部にはそれぞれ面ファスナーシート１５を設け、後部開口Ａ５から入れて、上方向に向かって通過して、前に折り返して貼り付け部Ａ６３か、臀部後ろ領域１１に貼り合わさり、固定される。股下領域１２の左右両側に縁には、それぞれ１ｃｍ幅で縦方向の前後に延伸する高密度密の吸水コア層１０の高密コアストッパー１００を設け、左右の縁には熱圧線１００１が形成される。臀部後ろ領域１１と、股下領域１２の左右両側の縁の結合シート１０１はゴムひもを設けてギャザー部Ａ１１１を形成する。前ピックアップ部１６は吸水コア層前端１０ｂ上方の結合シートが形成する平面であって、前部開口Ａ１１から引き出して下方に折り返し、前挟持部Ａ１２に貼り合わせて留める。
【００１７】
図１−４に開示するように、使用者Ｍの身体の左側を起こして、先に吸収部材１に左側半分を巻き取り、次いで後部開口Ａ５を引っ張って開き、左右後ろピックアップ部１４を入れて通過させ、さらに左右後ろピックアップ部１４を前に折り返して貼り合わせ固定し、それから身体の右側を起こし、左側半分を展開し、かつ左側の後ろピックアップ部を前に折り返して貼り合わせ固定する。
【実施例２】
【００１８】
図２に開示するように、フルパッド方の吸収部材２は、左右後ろピックアップ部２４を開いた後部開口Ａ５から上に向かって後挟持部Ａ６に入れるか、または下に向かって後挟持部Ａ６に入れて、さらにオスメスホックＡ６１でそれぞれ留めて、面ファスナーシートＡ６２で滑り止めする。その他の構成は実施例１と同様である。
【実施例３】
【００１９】
図３−１から３−３に開示するように、ハーフパッド型の吸収部材３は、臀部後ろ領域３１と股下領域３３に分布する吸水コア層３０と、左右後ろピックアップ部３４と、前ピックアップ部３６とを含む。該股下部は前端縁部３０の縁から２ｃｍ離れた横熱圧線３７１で固定し、かつ長さＬ３７の基準とし、後ろに折り畳んで折り畳みストッパー３７を形成する。左右両側の縁は、さらに縦熱圧線３７２で固定する。前ピックアップ部３６は吸水コア層３０の前端３０ｂ上方の結合シートによって、男性生殖器を露出させ、かつ導尿管８、９が跨いで出て導尿管滑り止めゲルＡ１０に接触するＵ字状の切り欠き部３６０を具える平面を形成する。両端部３６１上に延伸し、前部開口Ａ１１から引き出して下に向かって折り畳んだ後、前挟持部Ａ１２によって挟持される。図３−３に開示するように、該Ｕ字状切り欠き部の底部を高くすることで、座るか、または活動する場合に排泄物が外に漏れることを防ぐ。その他の構成は実施例１と同様である。
【実施例４】
【００２０】
図４に開示するように、ハーフパッド型の吸収部材４は、左右後ろピックアップ部４４が実施例２と同様である以外は、その他の構成が実施例３と同様である。
【実施例５】
【００２１】
図５−１、５−２に開示するように、ハーフパッド型の吸収部材５１は、後部Ａ１に貼着する左右両側の左右背面粘着部５８をそれぞれ形成し、前ピックアップ部５６の両端部５６１の背面には前部Ａ３に貼着する背面粘着部５９を形成する。左右後ろピックアップ部５４は実施例２（または実施例１）と同様であって、その他は実施例４と同様の構成である。
【実施例６】
【００２２】
図６に開示するように、ハーフパッドからの吸収部材６は、臀部後ろ領域６１に左右背面粘着部６８を形成し、それぞれ前部Ａ３に貼着する。その単一の後ろピックアップ部６４は挟持されて固定を補助する作用を有する。前ピックアップ部６６は、その内の一滑り止めゲルの内側の位置に、縦方向に男性、方は女性用の導尿管８、または９が跨いで出るための開放スリット６６０を形成し、前部Ａ３に貼着し、かつ該開放スリットの左右の縁の複数の背面粘着部６９に貼着する。ハーフパッド型の吸収部材６´は、左右後ろピックアップ部６４´と左右背面粘着部６８´とを合わせ持ち、その前端６０ｂ´には折り畳みストッパーがなく、前ピックアップ部６６に切り欠きがなく、複数の背面粘着部６９´を具える。
【実施例７】
【００２３】
図７に開示するように、ハーフパッド型の吸収部材７は、ピックアップ部７６が左右翼部７６１を具え、側面挟持部Ａ３０に入れてオス、メスのホック３１１で留めて外部に露出させない。その他は実施例４と同様に構成する。ハーフパッド型の吸収部材７´は、単一の後ろピックアップ部７４´が挟持されて固定補助の作用を有する。その前端７０´には折り畳みストッパーはなく、前ピックアップ部７７の左右翼部７６１７´に背面粘着部７９´を設け、面挟持部Ａ３０に入れて貼着し、固定する。
【符号の説明】
【００２４】
Ｍ              使用者
Ａ              着装部材
Ａ０            本体
Ａ１            後部
Ａ１１１        ギャザー部
Ａ２            下部
Ａ３            前部
Ａ３１          側辺挟持部
Ａ３１１        ホック
Ａ４１          内層
Ａ４２          外層
Ａ５            後部開口
Ａ６            後挟持部
Ａ６１１        メスホック
Ａ６１２        オス北
Ａ６２１        面ファスナーオス部
Ａ６２２        面ファスナーメス部
Ａ６３          取り付け部
Ａ７            伸縮部
Ａ８            緊締ベルト
Ａ８１          前段部  
Ａ８２          後段部
Ａ９            孔部
Ａ９０          パッド
Ａ１０          滑り止めゲル
Ａ１１          前部開口
Ａ１２          前挟持部  
Ａ１２０        ホックカバー
Ａ１２１        メスホック
Ａ１２２        オスホック
１、２、３、４、５、６、６´、７、７´    吸収部材
１０、３０      吸水コア層
１０ａ、３０ａ  吸水コア層後端
１０ｂ、３０ｂ、６０ｂ´、７０ｂ´    吸水コア層前端
１０１、３０１    結合シート
１００、３００    高密コアストッパー
１００１、３００１、３７１、３７２    熱圧線
１１、２１、３１、４１、５１、６１、６１´、７１、７１´    臀部後ろ領域
１１１、３１１    ギャザー部
１２、２２、３２、４２、５２、６２、６２´、７２、７２´    股下領域
１３、２３        前腹領域
１４、２４、３４、５４、６４´、７４    後ろピックアップ部
６４、６４´      左右後ろピックアップ部
１５、３５        面ファスナーシート
１６、２６、３６、４６、５６，６６、６６´、７６、７６´    前ピックアップ部
３６０、５６０    切り欠き部
３６１、５６１    両端部
３７、４７、５７、６７、７７    折り畳みストッパー
Ｌ３７          長さ
５８、６８、６８´、７８´    左右背面粘着部
５９、６９、６９´７９´    背面粘着部
６６０          開放スリット
７６１、７６１´    左右翼部
８              導尿管
９              導尿管
【図１−１】
2018187046.tif 000003
【図１−２】
2018187046.tif 000004
【図１−３】
2018187046.tif 000005
【図１−４】
2018187046.tif 000006
【図１−５】
2018187046.tif 000007
【図１−６】
2018187046.tif 000008
【図２】
2018187046.tif 000009
【図３−１】
2018187046.tif 000010
【図３−２】
2018187046.tif 000011
【図３−３】
2018187046.tif 000012
【図４】
2018187046.tif 000013
【図５−１】
2018187046.tif 000014
【図５−２】
2018187046.tif 000015
【図６】
2018187046.tif 000016
【図７】
2018187046.tif 000017
【手続補正書】
【提出日】平成30年1月9日(2018.1.9)
【手続補正１】
【補正対象書類名】明細書
【補正対象項目名】全文
【補正方法】変更
【補正の内容】
【発明の詳細な説明】
【技術分野】
【０００１】
この発明は、例えば紙おむつのように吸水性を具える吸収部材と、これを緊締して着装するための材料節減型着装物に関する。
【背景技術】
【０００２】
日夜異なる活動、又は異なる依頼形態の病人にとって、紙おむつの適用形式と交換方法には差がある。下半身、又は全身不随患者の内約半数以上を占める患者は、紙おむつを交換する場合、身体の左、右側を起こして、片側から交換の操作を行う。これら身体不随、又は導尿管を付けている患者にとって、紙おむつの前腹領域の液体吸収芯層は余分である。周辺の消耗材も必須ではない。但し、縮小するよう変更しようとすれば、穿くことができなくなるか、身体にフィットしなくなるという難点が起きる。よって、従来のものには、消耗材が多く、コストが高く、蒸し暑くなり、身体に十分フィットしないため尿液が漏れるなどの欠点が依然として存在する。また、導尿管を付けた後、容易にスライドして位置がずれ、絡んで外れ落ちるという問題が存在する。
【発明の概要】
【発明が解決しようとする課題】
【０００３】
この発明は、着脱が容易で、身体にフィットし、消耗材を少なくし、尿液などの漏れを防ぐ材料節減型着装物を提供することを課題とする。
【課題を解決するための手段】
【０００４】
上述する課題を解決するために、この発明に採用する技術プランは、重複して使用できる汎用タイプの着装部材と、及び吸収部材を提供するものであって、以下は使用者のウエストが約８０ｃｍの場合を例として、着装した後の立った姿の方向、位置、サイズを説明する。
着装部材の後ろ腰部の左右端には伸縮部を設け（偶に患者自身でトイレへ行き着脱するのに便利である）、外部に緊締ベルトを設ける。これら伸縮部の間の下方に後部開口を形成し（引っ張って開き左右後ろピックアップ部を入れる）、後部開口の上方には内層と外層が開閉する後挟持部（左右後ろピックアップ部を挟む）を形成する。該後挟持部の前面には柔らかい繊維面の貼着部（腰の部分の快適さを増し、かつ面ファスナーへの貼着に供する）を形成する。前部には前部開口（前ピックアップ部を引き出して外で操作するのに便利）と、及び前挟持部（前部開口を蔽い、前ピックアップ部を挟む）を形成する。前部左右下側には内層と外層が開閉する側面挟持部（前ピックアップ部の側面翼部を挟む）と導尿管滑り止めゲルを設ける（柔軟性を具え、擦って洗っても外れ落ちない）。
【０００５】
汎用型であるため、前後開口部、オスメスホックは、通過させ、ホックで留めるか、又は放置する。面ファスナーシートは貼着滑り止めに供する。または腰部が力を受ける面を平坦にする。滑り止めゲルは前腹領域、又は前ピックアップ部のずれを防ぎ、該着装部材はその他背面粘着式の吸収部材に供して身体に緊締してフィットさせる。
【０００６】
該吸収部材は、次のように分ける。
１、 フルパッド型（実施例１、２）。吸水コア層が後ろ臀部領域と股下領域と前腹領域とを含み、活動可能な使用者への着装に適する。
２、 ハーフパッド型（実施例３から７）。後ろ臀部領域と股下領域とを含み前腹領域は省力する。身体不随患者への着装に適し、導尿管を使用している者は夜間就寝時に取り換える。左右後ろピックアップ部、前ピックアップ部は上の腹方向にずれた後固定され、吸収部を目に移動させる。座ったり、活動したりする場合に着装する。材料を節減し排泄物の漏れを防ぐ。
【０００７】
フルパッド型の特徴は次のとおりである。実施例１において、左右後ろピックアップ部は後部開口を通過して前に折り返し、それぞれ貼着部か後ろ臀部領域に貼着する。よく動く患者の場合はさらにオスメスホックで留める。実施例２において、左右後ろピックアップ部は後部開口から入れるか、又はその後下方向に折り重ねて後挟持部に入れて固定する。該前ピックアップ部は前部開口から引き出した後、前挟持部で挟んでピックアップする。股下領域の左右両側の側辺にはそれぞれ前後に延伸する高密度吸水コア層の高密度コアストッパー（外観上は厚さが増すことはない、排尿時に緩衝、拡散の流れの遅延、吸収力の上昇が得られる）を具える。
【０００８】
ハーフパッド型の特徴は次のとおりである。前腹吸水コア層を省き、股下領域の前端を後ろ方向に折り畳んで折り畳みストッパーを形成する（休止コア層が水分を吸収して膨張して隆起した場合折り畳みストッパーが支持して防水壁のようになる）。即ち、股下領域の左右、前後に高密度コアストッパーと折り畳みストッパーを設ける手法で排泄物が外に漏れるのを防ぐ。実施例３から実施例５において、前ピックアップ部にはＵ字状の切り欠き部を具え、両端部は前部開口から引き出して前挟持部で挟む。該Ｕ字状切り欠き部は男性の生殖器が、通気性があり柔らかく快適な布（着装部材）に戻るためのものであって、導尿管が跨いで出て滑り止めゲルに接触するために便利である。
【０００９】
ハーフパッド型のその他材料節減の実施形態は次のとおりである。
１、実施例６は背面粘着式である。前ピックアップ部には、男女用導尿管が跨いで出るための開放スリット（冬季の使用に適する）を形成する。実施例６は背面粘着式の強化型であって、前ピックアップ部に切り欠き、又はスリットがなく、折り畳みストッパーを設けない（冬季によく動く人の使用に適する）。
２、実施例７は前ピックアップ部が左右側翼部（男性用導尿管は上方から跨いで出て滑り止めゲルに接触する。女性用導尿管が寝返りしたときに前後に移動することを防ぐ）を具える。実施例７は波面粘着式を兼ね備え、前ピックアップ部が左右側翼部（導尿管を使用し、よく動く者の使用に供する）を具える。
【発明の効果】
【００１０】
この発明による材料節減型着装物は、材料を節減することができ、環境保全に寄与するとともに、製造コストを節減することから経済的であるという効果を有する。
【図面の簡単な説明】
【００１１】
【図１−１】この発明の実施例１のフルパッド型の吸収部材と着装部材を展開した状態を示した説明図である。
【図１−２】吸収部材の後挟持部と逆の角度から見た局部断面を示した説明図である。
【図１−３】吸収部材の高密度コアストッパーの図１−２に開示するＸ１―Ｘ１線に沿った断面図である。
【図１−４】左右後ろピックアップ部の片側毎の操作を示した説明図である。
【図１−５】正面から見た吸収部材の使用態様を示した説明図である。
【図１−６】側面と背面からから見た吸収部材の使用態様を示した説明図である。
【図２】実施例２のフルパッド型の吸収部材と着装部材を展開した状態を示した説明図である。
【図３−１】実施例３のハーフパッド型の吸収部材の構造と使用上の動作を示した説明図である。
【図３−２】実施例３の吸収部材の折り畳みストッパーの図３−１に開示するＹ１―Ｙ１線に沿った局部断面図である。
【図３−３】吸収部材３が前にずれて、後ろにずれて（底部が高くなる）互いに対照し、及び男性用の導尿管が滑り止めゲルに接触して穿いた正面説明図である。
【図４】実施例４のハーフパッド型の吸収部材と着装部材を展開した状態を示した説明図である。
【図５−１】実施例５のハーフパッド型の吸収部材と着装部材を展開した状態を示した説明図である。
【図５−２】吸収部材５が前にずれて、後ろにずれて（底部が高くなる）互いに対照し、及び女性用の導尿管を例として滑り止めゲルに接触して穿いた正面説明図である。
【図６】実施例６のハーフパッド型の吸収部材６と着装部材を展開し、及び女性用の導尿管の位置に比較、及び吸収部材６´を対照した説明図である。
【図７】実施例７のハーフパッド型の吸収部材と着装部材を展開し、及び吸収部材７´を対照した説明図である。
【発明を実施するための形態】
【実施例１】
【００１２】
図１−１から図１−６に開示するように、着装部材Ａと、フルサイズパッド型の吸収部材１とを具え、着装部材Ａは二重層で後部Ａ１と下部Ａ２と前部Ａ３とによってなる本体Ａ０と、後腰部の左右端にそれぞれゴムひもを内設した伸縮部Ａ７と、その外側の両端にそれぞれ設ける緊締ベルトＡ８とを具え、緊締ベルトＡ８は、オス面ファスナー部Ａ８３１を設けた前段部Ａ８１とメス面ファスナー部Ａ８３２を設けた後段部Ａ８２とを具えてなり、着装する場合に前段部Ａ８３１が本体Ａ０の前部の対応する位置に形成した孔部Ａ９を通過し、かつ折り返されてメス面ファスナー部Ａ３２に貼り付いて緊締される（図１−５参照）。上述する部分を有する本体Ａ０の後部は上に向かって幅が漸増して緊締面と受ける力を分散する面が拡大する。孔部Ａ９の外側には、それぞれパッドＡ９０を具える。左右の伸縮部Ａ７の間の内層Ａ４１の下方に後部開口Ａ５を形成する。後部開口Ａ５上方には内層Ａ４１と外層Ａ４２とを広げて張り合わせ後挟持部Ａ６を形成する。後挟持部Ａ６は、前面を柔軟な繊維面で覆い、面ファスナーの貼り付けに供する貼着部Ａ６３を形成する。前部Ａ３の恥骨とへそに接触する部分の中間の位置には前部開口Ａ１１と前挟持部Ａ１２を形成する。後部Ａ１の左右下側と下部Ａ２の左右両側には、それぞれゴムひもを設けて収縮するギャザー部Ａ１１１を形成する。前部Ａ３の左右下側には、内層と外層とが向かい合う面にオス、メス対になったホックＡ３１１を少なくとも１以上設けて自在に開放し、かつホックＡ３１１で留めて閉じることのできる側辺挟持部Ａ３１を形成する（図７参照）。内層前面の左右下側の端縁部に近接した位置に導尿管滑り止めゲルＡ１０を塗布する。
【００１３】
後挟持部Ａ６の内層の２つのオス、メスホックのメスホックＡ６１１を横方向に配列して設け、外層の対応する位置に２つのオスホックＡ６１２を横方向に配列して設ける。また内層の該２つのメスホックの間と左右側に、合わせて３つの面ファスナーオス部Ａ６２１を設け、外層の対応する位置に３つの面ファスナーメス部Ａ６２２を設ける。
【００１４】
前挟持部Ａ１２は、前部開口Ａ１１のホックカバーＡ１２０と、ホックカバーＡ１２０の内層に横方向に配列する複数のオスメスホックのメスホックＡ１２１と、前部Ａ３のメスホックＡ１２１に対応する位置に設けるオスホックＡ１２２とを具える。
【００１５】
吸収部材１は、不織布表層と、防水底層とを具え、中間に吸水コア層１０を挟んでなり、臀部後ろ領域１１と、股下領域１２と、前腹領域１３に分布する吸水コア層１０と、左右後ろピックアップ部１４と、前ピックアップ部１６とを含む。これら左右後ろピックアップ部（それぞれの長さと幅の比は１：１）は吸水コア層後端１０ａ上方の結合シート１０１によってウエストの四分の一の幅と八分の一の長さ）で、かつ縦に二等分した幅の平面を形成し、前面の上端縁部に近接した一の中間部にはそれぞれ面ファスナーシート１５を設け、後部開口Ａ５から入れて、上方向に向かって通過して、前に折り返して貼着部Ａ６３か、臀部後ろ領域１１に貼り合わさり、固定される。股下領域１２の左右両側に縁には、それぞれ１ｃｍ幅で縦方向の前後に延伸する高密度密の吸水コア層１０の高密コアストッパー１００を設け、左右の縁には熱圧線１００１が形成される。臀部後ろ領域１１と、股下領域１２の左右両側の縁の結合シート１０１はゴムひもを設けてギャザー部１１１を形成する。前ピックアップ部１６は吸水コア層前端１０ｂ上方の結合シートが形成する平面であって、前部開口Ａ１１から引き出して下方に折り返し、前挟持部Ａ１２に貼り合わせて留める。
【００１６】
図１−４に開示するように、使用者Ｍの身体の左側を起こして、先に吸収部材１に左側半分を巻き取り、次いで後部開口Ａ５を引っ張って開き、左右後ろピックアップ部１４を入れて通過させ、さらに左右後ろピックアップ部１４を前に折り返して貼り合わせ固定し、それから身体の右側を起こし、左側半分を展開し、かつ左側の後ろピックアップ部を前に折り返して貼り合わせ固定する。
【実施例２】
【００１７】
図２に開示するように、フルパッド型の吸収部材２は、左右後ろピックアップ部２４を開いた後部開口Ａ５から上に向かって後挟持部Ａ６に入れるか、または下に向かって後挟持部Ａ６に入れて、さらにオスメスホックＡ６１でそれぞれ留めて、面ファスナーシートＡ６２で滑り止めする。その他の構成は実施例１と同様である。
【実施例３】
【００１８】
図３−１から３−３に開示するように、ハーフパッド型の吸収部材３は、臀部後ろ領域３１と股下領域３２に分布する吸水コア層３０と、左右後ろピックアップ部３４と、前ピックアップ部３６とを含む。該股下領域は前端３０ｂの縁から２ｃｍ離れた横熱圧線３７１で固定し、かつ長さＬ３７の基準とし、後ろに折り畳んで折り畳みストッパー３７を形成する。左右両側の縁は、さらに縦熱圧線３７２で固定する。前ピックアップ部３６は吸水コア層３０の前端３０ｂ上方の結合シートによって、男性生殖器を露出させ、かつ男性用の導尿管８、女性用の導尿管９が跨いで出て導尿管滑り止めゲルＡ１０に接触するＵ字状の切り欠き部３６０を具える平面を形成する。両端部３６１上に延伸し、前部開口Ａ１１から引き出して下に向かって折り畳んだ後、前挟持部Ａ１２によって挟持される。図３−３に開示するように、該Ｕ字状切り欠き部の底部を高くすることで、座るか、または活動する場合に排泄物が外に漏れることを防ぐ。その他の構成は実施例１と同様である。
【実施例４】
【００１９】
図４に開示するように、ハーフパッド型の吸収部材４は、左右後ろピックアップ部４４が実施例２と同様である以外は、その他の構成が実施例３と同様である。
【実施例５】
【００２０】
図５−１、５−２に開示するように、ハーフパッド型の吸収部材５は、臀部後ろ領域５１に後部Ａ１に貼着する左右両側の左右背面粘着部５８をそれぞれ形成し、前ピックアップ部５６の両端部５６１の背面には前部Ａ３に貼着する背面粘着部５９を形成する。左右後ろピックアップ部５４は実施例２（または実施例１）と同様であって、その他は実施例４と同様の構成である。
【実施例６】
【００２１】
図６に開示するように、ハーフパッドからの吸収部材６は、臀部後ろ領域６１に左右背面粘着部６８を形成し、それぞれ前部Ａ３に貼着する。その単一の後ろピックアップ部６４は挟持されて固定を補助する作用を有する。前ピックアップ部６６は、その内の一滑り止めゲルの内側の位置に、縦方向に男性用の導尿管８、または女性用の導尿管９が跨いで出るための開放スリット６６０を形成し、前部Ａ３に貼着し、かつ該開放スリットの左右の縁の複数の背面粘着部６９に貼着する。ハーフパッド型の吸収部材６´は、左右後ろピックアップ部６４´と左右背面粘着部６８´とを合わせ持ち、その前端６０ｂ´には折り畳みストッパーがなく、前ピックアップ部６６´に切り欠きがなく、複数の背面粘着部６９´を具える。
【実施例７】
【００２２】
図７に開示するように、ハーフパッド型の吸収部材７は、ピックアップ部７６が左右翼部７６１を具え、側面挟持部Ａ３０に入れてオス、メスのホックＡ３１１で留めて外部に露出させない。その他は実施例４と同様に構成する。ハーフパッド型の吸収部材７´は、単一の後ろピックアップ部７４´が挟持されて固定補助の作用を有する。その前端７０´には折り畳みストッパーはなく、前ピックアップ部７７の左右翼部７６１７´に背面粘着部７９´を設け、面挟持部Ａ３０に入れて貼着し、固定する。
【符号の説明】
【００２３】
Ｍ        使用者
Ａ        着装部材
Ａ０        本体
Ａ１        後部
Ａ１１１    ギャザー部
Ａ２        下部
Ａ３        前部
Ａ３１    側辺挟持部
Ａ３１１    ホック      
Ａ４１    内層
Ａ４２    外層
Ａ５        後部開口
Ａ６        後挟持部
Ａ６１１    メスホック
Ａ６１２    オスホック
Ａ６２１    面ファスナーオス部
Ａ６２２    面ファスナーメス部
Ａ６３    貼着部
Ａ７        伸縮部
Ａ８        緊締ベルト
Ａ８１    前段部  
Ａ８２    後段部
Ａ８３１ オス面ファスナー部
Ａ８３２ メス面ファスナー部
Ａ９        孔部
Ａ９０    パッド
Ａ１０    滑り止めゲル    
Ａ１１    前部開口
Ａ１２    前挟持部  
Ａ１２０    ホックカバー
Ａ１２１    メスホック
Ａ１２２    オスホック
１、２、３、４、５、６、６´、７、７´    吸収部材
１０、３０        吸水コア層
１０ａ、３０ａ    後端
１０ｂ、３０ｂ、６０ｂ´、７０ｂ´    前端
１０１、３０１    結合シート
１００、３００    高密コアストッパー
１００１、３００１、３７１、３７２    熱圧線
１１、２１、３１、４１、５１、６１、６１´、７１、７１´    臀部後ろ領域
１１１、３１１    ギャザー部
１２、２２、３２、４２、５２、６２、６２´、７２、７２´    股下領域
１３、２３        前腹領域
１４、２４、３４、５４、６４´、７４    左右後ろピックアップ部
６４、７４´ 単一の後ろピックアップ部
１５、３５        面ファスナーシート
１６、２６、３６、４６、５６，６６、６６´、７６、７６´    前ピックアップ部
３６０、５６０    切り欠き部
３６１、５６１    両端部
３７、４７、５７、６７、７７    折り畳みストッパー
Ｌ３７    長さ
５８、６８、６８´、７８´    左右背面粘着部
５９、６９、６９´７９´    背面粘着部
６６０        開放スリット
７６１、７６１´    左右翼部
８            男性用の導尿管
９            女性用の導尿管
【手続補正２】
【補正対象書類名】特許請求の範囲
【補正対象項目名】全文
【補正方法】変更
【補正の内容】
【特許請求の範囲】
【請求項１】
重複して使用できる着装部材と吸収部材とを具え、
該着装部材は二重層の本体を具え、
後腰部の左右端にそれぞれ伸縮部を具え、
該伸縮部の外側の両端にそれぞれ設ける緊締ベルトを具え、
該緊締ベルトは、該本体の前部の対応する位置に形成した孔部を通過し、かつ折り返されて緊締し、
左右の該伸縮部の間の内層の下方に該吸収部材の左右後ろピックアップ部を入れ、かつ上方向に通過させる後部開口を形成し、
該後部開口上方には該内層に横方向に配列して２つのオスメスホックのオスホックを設け、
外層に対応して横方向に配列して２つのオスメスホックのオスホックを設け、
該２つのメスホックの間と左右側に面ファスナーオス部を設け、
外層の対応する面ファスナーメス部を設けて後挟持部とし、かつ該左右後ろピックアップ部をそれぞれ挟持し、
該後挟持部は柔軟な繊維面で覆い、
該左右後ろピックアップ部の貼り付けに供する貼着部を形成し、
前部の恥骨とへそに接触する部分の中間の位置に横方向に設けた前部開口と、及び該吸収部材の前ピックアップ部が該前部開口から引き出されて前挟持部に挟持されて該前部開口を遮蔽するホックカバーの内層に横方向に設けた複数のオスメスホックのメスホックに対応してオスメスホックのオスホックを設けた前挟持部を具え、
該吸収部材の前ピックアップ部が該前部開口から引き出された後、該前挟持部に挟持され、後部の左右下側と下部の左右両側にはゴムひもを設けてギャザー部を形成し、
該前部の左右下側には内層と外層の対向する面にオスメスホックをそれぞれ設けて、開いてホック留めして該吸収部材の前ピックアップ部の側翼を挟持する側辺挟持部を具え、
前部内層の左右下側の端縁部に近接した位置に導尿管滑り止めゲルを塗布し、
該吸収部材は、不織布表層と、防水底層とを具え、中間に吸水コア層を挟んでなり、周辺は結合シート層であって、
該吸水コア層後端上方の結合シートによってウエストの四分の一の幅の平面を形成し、かつ縦に二等分して左右後ろピックアップ部としてそれぞれ後ろ開口に入れかつそれぞれ後挟持部によって挟持され、
前端上方の結合シートによって一平面の前ピックアップ部を形成して該前部に固定可能にし、臀部後ろ領域と股下領域の左右両側の縁の外方向に延伸する結合シートはゴムひもを設けてギャザー部を形成する
ことを特徴とする材料節減型着装物。
【請求項２】
二重層の本体を具え、
該本体は後ろ腰部の左右両端にそれぞれ伸縮部を具え、
これら伸縮部の外側端にそれぞれ前の部分が前部の対応する孔部を通過し、かつ収束した後折り返して後ろの部分に係合する緊締ベルトを接続し、
これら伸縮部の間の内層下方に吸収部材を提供する左右後ろピックアップ部を入れ、上に向かって通過させる後部開口を形成し、
該後部開口上方には該内層に横方向に配列して２つのオスメスホックのオスホックを設け、
外層に対応して横方向に配列して２つのオスメスホックのオスホックを設け、
該２つのメスホックの間と左右側に面ファスナーオス部を設け、
外層の対応する面ファスナーメス部を設けて後挟持部とし、かつ該左右後ろピックアップ部をそれぞれ挟持し、後挟持部の前面は柔らかい繊維面を設けて覆い、かつ該左右後ろピックアップ部に貼り合わさる貼着部を設け、
前部が恥骨とへそに接触する部分の中間の位置に横方向に設けた前部開口を具え、
前部開口吸上方に前挟持部を具え、
後部左右下側と下部左右両側にゴムひもを設けてギャザー部を設ける
ことを特徴とする材料節減型着装物の着装部材。
【請求項３】
前記本体が、前部の左右下側に、内層と外層の向かい合う面が開いてかつ係合できる側辺挟持部を具える
ことを特徴とする請求項２に記載の材料節減型着装物の着装部材。
【請求項４】
前記本体の前部内層前面の左右下側の端縁部に近接した位置に、導尿管がずれて移動することを防ぐ滑り止めゲルを塗布する
ことを特徴とする請求項２に記載の材料節減型着装物の着装部材。
【請求項５】
不織布表層と防水底層とを具え、
中間に吸水コア層を挟んでなり、該吸水コア層後端上方の結合シートによってウエストの四分の一の幅の平面を形成し、かつ縦に二等分して左右後ろピックアップ部（それぞれの長さと幅の比は１：１）とし、
それぞれ請求項１に記載の材料節減型着装物の着装部材の後部開口に入れて、かつそれぞれ着装部材の後挟持部によって挟持され、
前端上方の結合シートに形成される平面を該前部に固定できる前ピックアップ部とし、
臀部後ろ領域の左右下側と股下領域の左右両側の外縁の外に向かって延伸する結合シートにゴムひもを設けてギャザー部を形成する
ことを特徴とする材料節減型着装物の吸収部材。
【請求項６】
前記左右後ろピックアップ部の前面の上端縁部に近接した中間部が、それぞれ面ファスナーシートを具え、該着装部材の後部開口から入れることができ、かつ上方向に向かって通過して、さらに前に折り返して該着装部材の貼着部か、臀部後ろ領域に貼り合わさり、固定される
ことを特徴とする請求項５に記載の材料節減型着装物の吸収部材。
【請求項７】
前記吸水コア層が臀部後ろ領域と、股下領域と、前腹領域の範囲を含むフルパッド型の吸収部材であって、該前ピックアップ部がウエストの八分の一の幅で、左右後ろピックアップ部が前後にずれるにともない挟持されるに十分な長さを具え、該着装部材の前部開口から引き出され下に折り畳まれて該前挟持部に固定される
ことを特徴とする請求項５、もしくは請求項６に記載の材料節減型着装物の吸収部材。
【請求項８】
前記吸水コア層が、臀部後ろ領域と股下領域の範囲を含むハーフパッド型の吸収部材であって、該股下部の左右両側は前端縁部の縁から２ｃｍ離れた横熱圧線で固定して基準とし、後ろに折り畳んで折り畳みストッパーを形成し、左右両側の縁はさらに縦熱圧線で固定し、股下領域の上方が該前ピックアップ部である
ことを特徴とする請求項５、もしくは請求項６に記載の材料節減型着装物の吸収部材。
【請求項９】
前記股下領域の左右両側に縁には、それぞれ１ｃｍ幅で縦方向の前後に延伸する高密度密の吸水コア層の高密コアストッパーを設け、該高密コアストッパーの左右の縁には熱圧線が形成される
ことを特徴とする請求項７、もしくは請求項８に記載の材料節減型着装物の吸収部材。
【請求項１０】
前記前ピックアップ部には、中間に男性生殖器を露出させるのに十分なＵ字状の切り欠き部を形成し、両端部が、左右後ろピックアップ部が前後にずれるにともない挟持されるに十分な長さを具え、着装部材の前部開口から引き出され下に折り畳まれて着装部材の前挟持部に固定される
ことを特徴とする請求項８に記載の材料節減型着装物の吸収部材。
【請求項１１】
前記前ピックアップ部には、中間に男性生殖器を露出させるのに十分なＵ字状の切り欠き部を形成し、両端部がそれぞれ着装部材の前部の背面粘着部に貼着される
ことを特徴とする請求項８に記載の材料節減型着装物の吸収部材。
【請求項１２】
前記着装部材の滑り止めゲルを塗布する部分の内側の位置に男性、又は女性用の導尿管が跨いで出るための開放スリットを縦方向に形成し、該前ピックアップ部には、着装部材の前部に貼着、固定するためであって、同時に該開放スリットの左右側辺を固定するための複数の背面粘着部を形成する
ことを特徴とする請求項８に記載の材料節減型着装物の吸収部材。
【請求項１３】
前記前ピックアップ部が両側に延伸して左右側翼を具える平面を形成し、それぞれ一着装部材の側辺挟持部に入れて固定する
ことを特徴とする請求項８に記載の材料節減型着装物の吸収部材。
【請求項１４】
前記吸水コア層が臀部後ろ領域と股下領域の範囲を含むハーフパッド型の吸収部材であって、該前ピックアップ部に着装部材の前部に貼着する複数の背面粘着部を形成し、該臀部後ろ領域には着装部材の後部にそれぞれ貼着する左右背面粘着部を形成する
ことを特徴とする請求項５に記載の材料節減型着装物の吸収部材。
【請求項１５】
不織布表層と、防水底層とを具え、中間に吸水コア層を挟んでなる吸収部材であって、
該吸水コア層が臀部後ろ領域と股下領域の範囲を含むハーフパッド型の吸収部材であって、該吸水コア層後端上方の結合シートによってウエストの四分の一の幅の平面で単一の後ろピックアップ部形成し、
該吸水コア層前端上方の結合シートによって平面の前ピックアップ部を形成し、
臀部後ろ領域の左右下側と、股下領域の左右両側の外縁の結合シートにゴムひもを設けてギャザー部を形成し、
臀部後ろ領域には、側辺挟持部を具える着装部材の後部に貼着する左右背面粘着部を形成する
ことを特徴とする材料節減型着装物の吸収部材。
【請求項１６】
前記股下部の左右側辺の間を前端縁部から２ｃｍ離れた横熱圧線で固定して長さの基準とし、後ろに折り畳んで折り畳みストッパーを形成し、
左右側辺をさらに縦熱圧線で固定し、
該前ピックアップ部が着装部材に相当し、滑り止めゲルを塗布する部分の内側の位置に男性、又は女性用の導尿管が跨いで出るための開放スリットを縦方向に形成し、
該前ピックアップ部には該前部に貼着して該開放スリットの左右側辺を固定する複数の背面粘着部を形成する
ことを特徴とする請求項１５に記載の材料節減型着装物の吸収部材。
【請求項１７】
前記前ピックアップ部が両側に延伸して左右側翼を具える平面を形成し、左右側翼がいずれも背面粘着部を具え、それぞれ該側辺挟持部に入れて固定する
ことを特徴とする請求項１５に記載の材料節減型着装物の吸収部材。
【請求項１８】
前記股下領域の左右両側に縁には、それぞれ１ｃｍ幅で縦方向の前後に延伸する高密度密の吸水コア層の高密コアストッパーを設け、該高密コアストッパーの左右の縁には熱圧線が形成される
ことを特徴とする請求項１５に記載の材料節減型着装物の吸収部材。